(57)【要約】【課題】電子黒板の高さ調整を安全に行うことができるようにすること。【解決手段】筆記面１を内包する筆記ユニット部と、筆記ユニット部を懸架する枠体と、枠体の両側部で枠体を上下スライド自在に保持する２本の支柱を有するスタンド３とを有し、枠体の両側部に略直線上の第１の案内溝９ａと、第１の案内溝９ａと平行に設けた一部蛇行形状を有する第２の案内溝９ｂと、第２の案内溝９ｂの蛇行部に上方向に窪んだ凹部設け、スタンド３の支柱に前記第１及び第２の案内溝９ａ，９ｂに係合する支軸あるいは支柱を貫通し前記第１及び第２の案内溝９ａ，９ｂに係合する支軸を有し、筆記面を自重落下させた場合において、筆記面が最下位まで落下することを防止できる高さ調整機能を有する構成とする。【選択図】  図１
2005028582.tif 000002
【特許請求の範囲】
【請求項１】
筆記面を内包する筆記ユニット部と、前記筆記ユニット部を懸架する枠体と、前記枠体の両側部で前記枠体を上下スライド自在に保持する２本の支柱を有するスタンド部とを有し、前記枠体の両側部に略直線上の第１の案内溝と、前記第１の案内溝と平行に設けた一部蛇行形状を有する第２の案内溝と、前記第２の案内溝の蛇行部に上方向に窪んだ凹部設け、前記スタンド部の支柱に前記第１及び第２の案内溝に係合する支軸あるいは前記支柱を貫通し前記第１及び第２の案内溝に係合する支軸を有した事を特徴とする電子黒板の高さ調整機構。
【請求項２】
前記第１及び第２の案内溝は、第１の案内溝を第２の案内溝に対して、前記筆記ユニット部の重心を挟んで形成した事を特徴とする請求項１記載の電子黒板の高さ調整機構。
【請求項３】
前記第２の案内溝に設けた凹部は、前記第１の案内溝に対して外側に蛇行した部分に形成した事を特徴とする請求項１ないし２記載の電子黒板の高さ調整機構。
【発明の詳細な説明】
【０００１】
【発明の属する技術分野】
本発明は、いわゆる電子黒板またはホワイトボードなどの板書や掲示をする事務什器に用いる場合に好適であり、筆記面や表示高さを可変して、使い勝手が良く、安全に高さが調整できる事務什器等の支持構造に関する。
【０００２】
【従来の技術】
近年ホワイトボードの板面に書かれた画像や文字を複写して用紙に印刷して出力する、いわゆる電子黒板が広く企業の事務所、会議室などで利用されており、また最近では超音波と光の伝播速度の違いを利用して、ペンの位置を検出しその位置と移動の軌跡を解析してＰＣで画像として出力する方式の電子黒板なども普及し始めている。その簡便さから、教育機関や学習塾でも使用され、いわゆる大人から子供まで身長の高低の異なる人が、同じホワイトボードや電子黒板などを利用する機会が多くなり、筆記面を簡便に調節できる機能が求められるようになっている。
【０００３】
以下、従来の電子黒板について説明する。
【０００４】
ここで、図５（ａ）は従来の電子黒板の一例を示す外観図、図５（ｂ）は図５（ａ）の電子黒板の上面図である。図５（ａ）に示すように光源を含んだ読み取り部分４が固定されていて、その読み取り４の上を筆記面１が移動することによって読み取る方式である。また、この筆記面が移動する方式は、筆記面１は薄いフィルム状の物質を環状に形成し、エンドレスな溝造にするのが一般的である。
【０００５】
図５（ａ），（ｂ）に筆記面１が移動する方式の場合の概略構造を示す。図５（ｂ）において、筆記面１は、上述したように帯状の薄いフィルム状でできており、両端を環状になるよう固定されている。背面パネル部１２は筆記面１の環状になった内側に位置し、マーカー等で筆記面１に文字等を書く際に筆圧を受け止める役割を果たす。
【０００６】
また、読み取り部４は本体の裏側に位置し、筆記面１を移動させることによって画像を読み取っている。
【０００７】
図５（ａ）に示すように読み取られた画像は画像処理部１４へ送られ画像処理され、プリント部２にて紙に印字される。また、図５（ｂ）に示すように、これらの筆記面１、背面パネル１２、読み取り部４は、フレーム７内に配置されており、黒板ケース１５で周りが覆われている。
【０００８】
次に、図６は、従来の電子黒板が備える筆記面の高さ調節の概略構造を示す図である。
【０００９】
図示するように、筆記面１のフレーム部７などに案内溝９を形成し、案内溝９にスタンド３に設けた支軸１７を係合させる受け部１８を設け、この受け部１８に支軸１７を係合させ、支軸１７に形成したねじ部にナット（図示せず）を締め付けて固定するという構造が一般的であった（例えば特許文献１参照）。
【００１０】
【特許文献１】
特開平４−１７３３００号公報（第５頁、第２図、第４図）
【特許文献２】
特許第２９２０８２３号公報（第３頁、第１図）
【特許文献３】
登録実用新案第３０９３２６７号公報
【００１１】
【発明が解決しようとする課題】
しかしながらこのような支持構造の案内溝と係合させる受け部の幾何的な関係は、たとえば図６に示すように高さ方向に略直線的に形成された案内溝９の途中から、調整固定したい高さに応じて分岐した受け部１８を設けるという構成になっており、高さ調整をする人が筆記面の重量を十分に保持できることのできない非力な女性等である場合、手をすべらせ誤って筆記面を落下させて怪我をするおそれがあり、必要に応じて自由に高さ調整ができず、不自由な筆記高さのままで使用せざるを得ないという問題があった。
【００１２】
本発明はこのような課題に鑑みて創案されたもので、重量の重い筆記面を誤って落下させても、最下の位置まで落下することなく近傍の係支位置で停止し、非力な調整操作者であっても安全に操作ができる電子黒板の高さ調整機構を提供することを目的とする。
【００１３】
【課題を解決するための手段】
本発明の電子黒板は、筆記面を内包する筆記ユニット部と、前記筆記ユニット部を懸架する枠体と、枠体の両側部で枠体を上下スライド自在に保持する２本の支柱を有するスタンド部とを有し、枠体の両側部に略直線上の第１の案内溝と、第１の案内溝と平行に設けた一部蛇行形状を有する第２の案内溝と、第２の案内溝の蛇行部に上方向に窪んだ凹部設け、スタンドの支柱に第１及び第２の案内溝に係合する支軸あるいは支柱を貫通し第１及び第２の案内溝に係合する支軸を有する構成としたものである。この方法により、第１及び第２の案内溝に係る支軸を第１及び第２の案内溝に摺動自在にかん合させて、第１の案内溝に係合する支軸を中心として筆記面の自重による回転モーメントにより、第２の案内溝に係合する支軸が、第２の蛇行した案内溝の窪んだ凹部を形成した側に押し付けられるようにすることで、筆記面を自重落下させた場合においても、第２の案内溝に係合した支軸が、第２の案内溝の、凹部のある側に押し付けられて落下することにより、一つ下の凹部に係合して落下を停止することができる電子黒板の高さ調節機能が得られる。
【００１４】
【発明の実施の形態】
本発明の請求項１に記載の発明は、筆記面を内包する筆記ユニット部と、筆記ユニット部を懸架する枠体と、枠体の両側部で枠体を上下スライド自在に保持する２本の支柱を有するスタンド部とを有し、枠体の両側部に略直線上の第１の案内溝と、第１の案内溝と平行に設けた一部蛇行形状を有する第２の案内溝と、第２の案内溝の蛇行部に上方向に窪んだ凹部設け、スタンドの支柱に第１及び第２の案内溝に係合する支軸あるいは支柱を貫通し第１及び第２の案内溝に係合する支軸を有した事を特徴とする電子黒板の高さ調整機構であり、重量の重い筆記面を誤って落下させても、最下の位置まで落下することなく近傍の係止位置で停止し、非力な調整操作者であっても安全に操作ができるという作用を有する。
【００１５】
本発明の請求項２に記載の発明は、請求項１記載の発明において、第１及び第２の案内溝は、第１の案内溝を第２の案内溝に対して、筆記ユニット部の重心を挟んで形成したので、筆記面を自重落下させた場合において、第２の案内溝に係合した支軸が、第２の案内溝の凹部のある側に押し付けられて落下することにより、一つ下の凹部に係合して落下するのを防止できるという作用を有する。
【００１６】
本発明の請求項３に記載の発明は、請求項１〜２の何れか一項に記載の発明において第２の案内溝に設けた凹部は、第１の案内溝に対して外側に蛇行した部分に形成したので、筆記面を自重落下させた場合において、第２の案内溝に係合した支軸が、第２の案内溝の凹部のある側に押し付けられて落下することにより、一つ下の凹部に係合することにより、落下するのを防止できるという作用を有する。
【００１７】
以下、本発明の実施の形態について、図１から図４を用いて説明する。なお、これらの図面において同一の部材には、同一の称号を付しており、また、重複した説明は省略されている。
【００１８】
図１は、本発明の実施の形態を示す高さ調整機構を有する電子黒板の外観図、図２は図１の電子黒板を後面から見た斜視図、図３（ａ）は図１の電子黒板における高さ調整機能の溝造説明図、図３（ｂ）は図１の電子黒板における高さ調整機能の案内溝の形状を示す図、図４は図１の電子黒板の筆記面の取り付けフレームを示す図を示す。
【００１９】
まず図１、図２を用いて、本発明による高さ調節機構を有する電子黒板の構造について説明する。図１において、１は筆記面であり、図示しない筆記パネルに外挿するようにエンドレスにした白色のフィルム（以下スクリーンフィルムと称する）を巻き、該スクリーンフィルムは筆記面１の左右に配置した図示しないローラに張架されている。筆記面１に書かれた文字や図形は、図示しないスクリーンフィルム駆動装置により、矢印Ａの方向へスクロールされ、光学読み取り部４で光学的な読み取りを行い、電子化した画像データをプリンタ部２で印字して出力する。３は筆記面１とプリンタ部２を懸架するスタンドである。
【００２０】
図２は、図１の電子黒板を後面から見た斜視図である。筆記面１とプリンタ部２は、図４に示す水平方向のフレーム横バー６ａ、６ｂと縦方向のフレーム縦バー５ａ、５ｂを矩形に結合したフレーム７に懸架されている。またプレート８（図３（ａ）に図示）には、ねじ部を形成された支軸８ａ、８ｂが突き出すように形成されている。フレーム７を構成するフレーム縦バー５ａ、５ｂには、図３（ｂ）に示すように、略直線状の第１の案内溝９ａと、略直線部と蛇行する部分からなる第２の案内溝９ｂが形成され、蛇行形状を有する第２の案内溝９ｂは、第１の案内溝９ａの下方で、筆記面１を取り付ける側である前面側にずれて配置されている。さらにスタンド３（図２に図示）には、プレート８の支軸８ａ、８ｂのピッチに対応したピッチで、支軸８ａ、８ｂの貫通穴が形成されている。図３（ａ）に示すようにプレート８に形成されたねじ形状の支軸８ａ、８ｂは、それぞれフレーム縦バー５ａ、５ｂの第１、第２の案内溝９ａ、９ｂとさらにスタンド３に形成した、上側と下側の貫通穴を貫通し、ナット１０で締め付けて固定される。
【００２１】
支軸８ａ、８ｂは、スタンド３の貫通穴を形成した高さに保持され、フレーム７は、第１、第２の案内溝９ａ、９ｂに支軸８ａ，８ｂを貫通させてプレート８とスタンド３に摺動自在に興じされているので、ナット１０を緩めた状態にすると、上下方向に移動可能である。ここで、第２の案内溝９ｂには、凹部Ｂ、Ｃ、Ｄが形成されており、支軸８ｂを凹部（以下、受け部と記載する）Ｂ、Ｃ、Ｄのいずれかに係合させると、フレーム７はその高さで保持され、ナット１０を締め付ければ固定される。
【００２２】
次に筆記面１の高さ調節をする場合を説明する。筆記面１の高さ調節を行う場合は、まずナット１０を緩める。次に筆記面１を持ち上げ、それまで係合されていた固定位置の受け部Ｂ、Ｃ、Ｄのいずれかから、支軸８ｂを解除する。次に案内溝に沿って筆記面１を昇降させ、所望の高さの受け部Ｂ、Ｃ、Ｄのいずれかに支軸８ｂを係合させ、ナット１０を締め付けて固定する。このとき、高さ調節を行うのが、女性などの非力な人の場合、誤って手を滑らせ、筆記面１を最下位置まで落下させるおそれがある。支軸８ａは、上後方の第１の案内溝９ａに係合しており、支軸８ｂの係合する第２の案内溝９ｂは、支軸８ａに対して下前方にあるので、支軸８ａ周りに作用する、筆記面１の自重は筆記面下部を後方に回転させようとするモーメントを発生する。このため、仮に筆記面１が滑落した場合、支軸８ｂは、フレーム７の第２の案内溝９ｂの前面側を摺動して落下する。案内溝は蛇行しており、筆記面１のある前面に前記した凹部Ｂ、Ｃ、Ｄが形成してあるので、支軸８ｂは落下開始後直近の凹部であるＢ、Ｃ、Ｄのいずれかに係合して停止する。
【００２３】
【発明の効果】
以上のように本発明によれば、筆記面を懸架するスタンドの支柱から突出した２本の支軸を、筆記面側面または側面近傍に形成した案内溝に沿って移動させ、案内溝を第１の案内溝と第２の案内溝の２本で構成し、第１の案内溝は略直線形状に構成し、第２の案内溝は蛇行した形状に構成し、蛇行した片側に前記の支軸と係合する受け部を形成し、筆記面を懸架するスタンドの支柱から突出した第１の支軸を第２の支軸に対して、筆記面の重心をはさんで配置し、第１、第２の支軸をそれぞれ第１、第２の案内溝に摺動自在に嵌合させて、第１の支軸を中心として筆記面の自重による回転モーメントにより、第２の支軸が第２の蛇行した案内溝の第２の支軸に係合する受け部を形成した側に押し付けられるようにすることで、筆記面を自重落下させた場合においても、第２の案内溝に係合した支軸が、第２の案内溝の、受け部のある側に押し付けられて落下することにより、一つ下の受け部に係合して落下を停止することができる。
【図面の簡単な説明】
【図１】本発明の実施の形態を示す高さ調整機構を有する電子黒板の外観図
【図２】図１の電子黒板を後面から見た斜視図
【図３】（ａ）図１の電子黒板における高さ調整機能の溝造説明図
（ｂ）図１の電子黒板における高さ調整機能の案内溝の形状を示す図
【図４】図１の電子黒板の筆記面の取り付けフレームを示す図
【図５】（ａ）従来の電子黒板の一例を示す外観図
（ｂ）従来の電子黒板の一例を示す上面図
【図６】従来の電子黒板が有する高さ調整機能を示す説明図
【符号の説明】
１  筆記面
２  プリンタ部
３  スタンド
４  画像読取り部
５ａ  フレーム縦バー
５ｂ  フレーム縦バー
６ａ  フレーム横バー
６ｂ  フレーム横バー
７  フレーム
８  プレート
８ａ  支軸
８ｂ  支軸
９ａ  第１の案内溝
９ｂ  第２の案内溝
１０  ナット
１２  背面パネル部
１４  画像処理部
１５  黒板ケース
１７  支軸
１８  受け部
Ｂ  凹部
Ｃ  凹部
Ｄ  凹部
【図１】
2005028582.tif 000003
【図２】
2005028582.tif 000004
【図３】
2005028582.tif 000005
【図４】
2005028582.tif 000006
【図５】
2005028582.tif 000007
【図６】
2005028582.tif 000008